(57)【要約】【課題】【解決手段】サブスタンス放出装置は、少なくとも１つのサブスタンス要素を含んでいるシグナルを受信するレシーバを有する。前記装置は、さらに、複数の所望サブスタンスを生成するサブスタンス生成器を有する。プロセッサが、前記レシーバ及びサブスタンス生成器とコミュニケートして、所望サブスタンスシグナルを解読し、前記サブスタンス生成器から所望サブスタンスシグナルに対応する所望サブスタンスからの選択物を生成及び放出する。さらに、前記装置には、水霧生成器及び温度調整などの触覚機能が含まれる。【選択図】図１
2004535906.tif 000002
【特許請求の範囲】
【請求項１】
サブスタンス配給及び生成の装置であって、
サブスタンス要素を含んだ少なくとも１つのシグナルを受信するレシーバと、
複数の所望サブスタンスを散布するサブスタンス生成器と、
前記レシーバ及び前記サブスタンス生成器とコミュニケートして、前記シグナルを解読し、前記サブスタンス生成器から前記シグナルに対応する選択された前記所望サブスタンスを放出させるプロセッサと、を有する。
【請求項２】
請求項１記載のサブスタンス配給及び生成装置であって、
前記シグナルは、ビジュアルイメージまたはイメージ保存媒体と一緒に保存される。
【請求項３】
請求項２記載のサブスタンス配給及び生成装置であって、
前記のイメージ保存媒体は、フィルム、電磁テープまたはレーザーディスク（「ＣＤまたはＤＶＤ」）で構成される群から選択される。
【請求項４】
請求項３記載のサブスタンス配給及び生成装置であって、
前記サブスタンス生成器は、少なくとも１つのサブスタンス放出器を含み、エアゾール式放出及び温度式放出のサブスタンスで構成される群から選択された少なくとも１つを放出する。
【請求項５】
請求項４記載のサブスタンスのデコーディング及び生成装置であって、
前記装置は、前記装置をシアターの暖房換気及び空調設備システムに接続する接続手段を含んでおり、これにより、前記放出サブスタンスと前記システムとの流動的コミュニケーションが可能になり、前記放出サブスタンスが、前記システムを利用して前記シアターに運ばれる。
【請求項６】
請求項５記載のサブスタンス配給及び生成装置であって、
前記シグナルは、さらに温度要素を含み、
前記プロセッサは、前記の暖房換気及び空調設備システムに接続されており、
前記プロセッサは、前記温度要素を解読し、前記システムに適宜な対応を指示する。
【請求項７】
請求項６記載の前記サブスタンス配給及び生成装置であっては、
前記シグナルは湿気要素を含み、
前記装置は水霧生成器を含み、
前記プロセッサは、前記水霧器に接続されており、前記湿気要素を解読して前記水霧器で適宜な対応を起させる。
【請求項８】
請求項４記載のサブスタンス配給及び生成装置であって、前記サブスタンス放出器は、
１つのプレナムと、
作動可能に前記プロセッサに接続し前記プレナムに前記サブスタンスを放出する、複数のサブスタンス保存及び放出手段と、
前記プレナムに空気を提供する圧縮空気源と、及び
前記プレナムからサブスタンスを積載した空気を放出する排気口と、を含む。
【請求項９】
請求項７記載のサブスタンス配給及び生成装置であって、前記サブスタンス放出器は、
１つのプレナムと
作動可能に前記プロセッサに接続し前記プレナムに前記サブスタンスを放出する、複数のサブスタンス保存及び放出手段と、
前記プレナムに空気を提供する圧縮空気源と、及び
前記プレナムからサブスタンスを積載した空気を放出する排気口と、を含む。
【請求項１０】
請求項８記載のサブスタンス配給及び生成装置であって、
前記のサブスタンス保存及び生成手段は、遠隔作動可能な放出バルブ付き圧縮エアゾール容器に保存される。
【請求項１１】
請求項８記載のサブスタンス配給及び生成装置であって、
前記のサブスタンス保存及び放出手段は、複数のサブスタンスカートリッジを有するマガジンであって、前記の複数サブスタンスカートリッジは、前記プロセッサとコミュニケートし、これによりコントロールされる駆動手段により回転するスピンドルの回りに搭載される。
圧縮空気源が前記カートリッジに選択的に接続され、これにより流動的なコミュニケーションが可能になり、前記圧縮空気源からの圧縮空気によって、前記カートリッジから前記サブスタンスが放出される。
【請求項１２】
請求項８記載のサブスタンス配給及び生成装置であって、
前記のサブスタンス保存及び放出手段はサブスタンススクロール上の温度式放出媒体であり、
前記のサブスタンススクロールは、前記プレナム内部にあるヒーター形式のサブスタンス放出手段の上に移動することができ、
前記プロセッサは、前記ヒーターとスクロール駆動手段に作動可能に接続しており、前記ヒーターの上に前記スクロールのセクションを移動して、ヒーターが前記サブスタンススクロールの前記セクション上の前記スクロール及び前記温度式放出媒体を加熱し、前記サブスタンス源からの選択物を前記プレナムの中に放出するようにする。
【請求項１３】
請求項１記載のサブスタンス配給及び生成装置であって、
前記シグナルは、マニュアルに作動可能な装置を使用するオペレータによって生成される。
【請求項１４】
請求項１３記載で請求されるサブスタンス配給及び生成装置であって、
前記のマニュアルに作動可能な装置はキーボードである。
【請求項１５】
請求項１４記載のサブスタンス配給及び生成装置であって、
前記のサブスタンス生成器は、少なくとも１つのサブスタンス放出器を含み、エアゾール式放出サブスタンス及び温度式放出サブスタンスで構成される群から選択された少なくとも１つを放出する。
【請求項１６】
請求項１５記載のサブスタンス配給及び生成装置であって、
前記装置は、前記キーボードに反応する光生成手段を含む。
【請求項１７】
請求項１記載のサブスタンス配給及び生成装置であって、
前記の所望サブスタンスには、群集コントロールサブスタンス、抗菌性サブスタンス、抗ウィルス性サブスタンス、抗毒素及び解毒剤で構成される群から選ばれた少なくとも１つが含まれる。
【請求項１８】
汚染媒体の封じ込め及び排除のために提供される方法は、
（ｉ）ファンを排除モードで作動して、被影響エリアから空気とサブスタンスを引き込む工程と、
（ｉｉ）サブスタンスエアージェットを被影響エリアに向け、汚染空気をファンに向ける工程と、
（ｉｉｉ）汚染空気を前記ファンで捕捉する工程と、
（ｉｖ）前記汚染媒体を空気から分離して、汚染物質を保存する工程と、を有する。
【請求項１９】
請求項１８記載の方法にはさらに、
前記の汚染空気に中和するサブスタンスを導入する工程を含む。
【請求項２０】
請求項１９記載の方法であって、前記ファン及びエアージェットがその一部を形成する、分離した別個の放出及び生成装置には、
サブスタンス要素を含む少なくとも１つのシグナルを受信するレシーバと、
複数の所望サブスタンスを配布するサブスタンス生成器と、
前記レシーバ及びサブスタンス生成器とコミュニケートして、前記シグナルを解読し、前記サブスタンス生成器から前記シグナルに対応する前記所望サブスタンスからの選択物を放出させるプロセッサと、が含まれる。
【発明の詳細な説明】
【技術分野】
【０００１】
本発明は、一般的に、娯楽デバイスに関するものである。より詳しくは、本発明は、マルチメディアプレゼンテーションでのサブスタンス生成、気象シミュレーションを含む特殊効果、屋内または屋外（１ユニット以上を使用する場合）空間における汚染媒体の封じ込めと排除、そして群集コントロールに関するものである。
【背景技術】
【０００２】
従来の演劇では聴衆の視覚と聴覚に訴える。映画または演劇のパフォーマンスには、セットや小道具、そして台詞に音楽を組み合わせた演出されたパフォーマンスが含まれる。
【０００３】
しかし、聴衆には五感すなはち視覚、聴覚、臭覚、触覚および味覚がある。そのため、演劇または映画のプレゼンテーションでは聴衆に対して現実のイル−ジョンを創造するのを目的としているが、その成果は限られている。その光景や音響に伴うはずの感覚の少なくとも半分は不在だからである。
【０００４】
例えば、実際の雷雨に伴うのは、雷光の閃き、雷の轟きそして降雨の音と光景だけではない。オゾン及び湿った大地のサブスタンス、それに気温と湿気の変化がある。
【０００５】
さらに例を挙げれば、実世界で針葉樹林をドライブすれば松のサブスタンスが感じられ、海辺を歩けば涼風それに塩気のある潮風のサブスタンスと味が伴う。庭園の散歩には花のサブスタンスがあり、パブには煙草とビールの臭いがある。
【０００６】
本発明の目的は、映画または演劇の聴衆に対して、オーディオとビジュアルのプレゼンテーションに加え、少なくとも臭覚、またより限定された程度で触覚に訴える手段を提供することである。
【０００７】
また、本発明の別の目的は、屋内または屋外空間で、群集コントロールのためにそして汚染物質の排除と封じ込めのために、使用できる手段を提供することである。
【発明の開示】
【課題を解決するための手段】
【０００８】
提供されるサブスタンス生成装置は、少なくとも１つのサブスタンス要素が含まれるシグナル（マニュアルまたはエンコード）を受信するレシーバを有する。
前記装置には、複数の所望サブスタンスを散布するサブスタンス生成器が含まれ、プロセッサが、前記レシーバ及びサブスタンス生成器とコミュニケートして、前記シグナルを解読しそのシグナルに対応して選択された所望のサブスタンスが、サブスタンス生成器から生成及び放出されるようにする。
【０００９】
前記シグナルは、イメージ保存媒体上にビジュアルイメージと一緒に保存されてもよい。前記イメージ保存媒体は、フィルム、電磁テープあるいはＣＤまたはＤＶＤと通常呼ばれるレーザーディスクでもよい。前記シグナルは、電子キーボードまたはスイッチングデバイスなどでマニュアルに生成してもよい。
【００１０】
前記サブスタンス生成器には、少なくとも１つのサブスタンス放出器が含まれており、その放出器が、エアゾール式放出及び温度式放出サブスタンスで構成される群から選択される少なくとも１つを放出する。
【００１１】
この装置は「スタンドアローン」ユニットであるか、またはシアターの暖房、換気、空調設備システムに接続できる接続手段を備えてもよく、これにより、放出サブスタンスと前記システムとの間の流動的なコミュニケーションが可能になり、前記放出サブスタンスは、前記システムによってシアターに運ばれる。
【００１２】
複数のユニットは、特に、封じ込めと排除を目的とする場合に使用される。
【００１３】
前記シグナルには温度要素が含まれてもよいし、前記プロセッサは暖房、換気及び空調設備のシステムに接続してもよい。前記プロセッサは温度要素を解読し、前記システムに適宜な対応を指示してもよい。
【００１４】
さらには、前記シグナルに湿気要素を含め、前記生成器に水霧生成器を含めてもよい。前記プロセッサが前記湿気要素を解読し、前記水霧生成器に適宜な対応を起させてもよい。
【００１５】
前記のサブスタンス放出器は、プレナムと、作動可能にプロセッサに接続しサブスタンスを前記プレナムに放出する、複数のサブスタンス保存及び放出手段と、前記プレナムに空気を提供する圧縮空気源と、前記プレナムからサブスタンスを積載した空気が放出される排気口と、を含んでもよい。
【００１６】
前記のサブスタンス保存及び放出手段は圧縮エアゾール容器を含んでもよい。
【００１７】
このサブスタンス保存及び放出手段は複数サブスタンスカートリッジを備えたマガジンを有してもよく、これは前記プロセッサとコミュニケートする駆動手段により回転可能なスピンドルの回りに搭載される。圧縮空気源がカートリッジに選択的に接続可能で、これにより流動的なコミュニケーションが可能になり、前記圧縮空気源からの圧縮空気で、前記カートリッジからサブスタンスが放出されてもよい。
【００１８】
前記サブスタンス保存手段は、サブスタンススクロール上の温度式放出媒体であってもよい。前記スクロールは、前記プレナム内にあるヒーター形式のサブスタンス放出手段の上に移動してもよい。前記プロセッサは、前記ヒーターとスクロール駆動手段に作動可能に接続しており、前記スクロールが巻かれて前記ヒーターの上に移動すると、前記ヒーターが温度式放出媒体を加熱し、前記の保存サブスタンスからの選択物を前記プレナムに放出する。
【００１９】
汚染媒体の封じ込めと排除のために提供される方法は、
（ｉ）ファンを排除モードで作動し、被影響エリアから空気を引き込む工程と、
（ｉｉ）エアージェットを被影響エリアに向け、汚染空気をファンに向ける工程と、
（ｉｉｉ）汚染空気を前記ファンで捕捉する工程と、
（ｉｖ）前記汚染媒体を空気から分離し、汚染物質を保存する工程と、を有する
工程（ｉｉ）で汚染エリアに向けるエアージェットに、中和性のまたはその他のサブスタンス（液体を含む）を導入して、この方法に修正を加えることもできる。
【発明を実施するための最良の形態】
【００２０】
本発明によるサブスタンス配給装置（ｓｕｂｓｔａｎｃｅ  ｓｕｂｓｔａｎｃｅ  ｄｉｓｔｒｉｂｕｔｉｏｎ  ａｐｐａｒａｔｕｓ）は、通常、図１参照番号１０によって示される。図１は、前記装置１０が、シアターまたはその他の建物にあるような暖房、換気及び空調装置（"ＨＶＡＣ"）システム１２に接続されているところの図示である。建物の空気配給システムを利用してサブスタンス及び触覚刺激剤を運ぶのは、不可欠ではないが、便利な方法である。しかし、前記デバイスは独自の配送システムを有することもでき、これは野外状況のように既成システムが存在しない場合には必要になる。
【００２１】
前記装置１０はレシーバ１４を有し、電磁テープまたはフィルムのサウンドトラック１６またはレーザーディスク（「ＣＤ」または「ＤＶＤ」）１８などの源からシグナルを受信する。前記シグナルは、映画フィルムまたはビデオテープによって運ばれるサウンドトラックの場合のように、保存媒体に保存されるビデオまたはオーディオ情報のような他情報の付属物にしてもよい。
【００２２】
或いは、前記シグナルは、電子キーボード２００またはその他のスイッチングデバイスで、マニュアルに生成してもよい。
【００２３】
前記シグナルは、少なくとも１つの所望サブスタンスに関する情報を含んでいる。シグナルが、複数のサブスタンスまたは温度、湿気、風速などの追加情報に関する情報を含んでもよい。或いは、特に電子キーボードのようなシグナル生成器の場合には、サブスタンス情報及び追加情報は、異なったキーまたは他のスイッチを使用して、独自に提供してもよい。
【００２４】
前記装置１０は、通常参照番号２０で示されるサブスタンス生成器を有する。前記のサブスタンス生成器２０は、下記に詳細を説明するような方法で、さまざまなサブスタンスを生成することができる。プロセッサ３０は前記レシーバとコミュニケートしてシグナルを解読(デコード)し、前記のサブスタンス生成器から所望のサブスタンスを放出させる。例えば、サブスタンス情報が花に関連しており、それが花壇散歩のビデオイメージと一緒に保存されてもよい。前記プロセッサは、保存媒体からシグナルを受信して、前記ビデオイメージの表示と同時に花の芳香を放出させる。
【００２５】
前記のサブスタンス生成器２０は、エアゾール積載サブスタンスを放出する放出器４０と温度式放出サブスタンスを放出する放出器６０とのように、放出器を１つ以上含んでもよい。代表的なサブスタンス放出器は、図２から５までに図示されており、下記はその詳細な説明である。どんなタイプまたは数のサブスタンス放出器も前記サブスタンス生成器２０に接続できる。放出器の中には、普通に使用されるサブスタンスの「ストック」を有するのがあってよい、またもっと特別なプレゼンテーションに特定なカスタムサブスタンスを有するのがあってもよい。カスタムサブスタンスの保存及び放出手段は、できればアクセスが簡単で交換可能であることが望ましい。
【００２６】
触覚刺激剤を生成するその他の装置が、前記サブスタンス生成器２０に合体してもよい。例えば、水霧生成器（噴霧器）８０は、湿気または濃霧状態の生成に使用してもよい。さらには、前記サブスタンス生成器２０自体または関連ＨＶＡＣ設備が、前記プロセッサ３０でコントロールされる参照番号１００のようなヒーターを有してもよい。また前記プロセッサは、前記ＨＶＡＣシステム１２に関連する、または独立のファン１１０の出力を制御し、例えば風のシミュレーションなどで、聴衆１６０の周りのエアーフローを制御してもよい。
【００２７】
図２は、エアゾール積載サブスタンスを放出するサブスタンス放出器４０の図示である。これには、オゾン（雷雨）、硫化水素（腐った卵）またはその他のガスなどのサブスタンスを含めてもよい。また、前記エアゾールサブスタンスには、エッセンシャルオイル及び可能ならば粉を含めてもよい。
【００２８】
前記サブスタンス放出器４０は、それぞれ所望のサブスタンスを含んでいる一連の圧縮容器４２、４４及び４６を有する（サブスタンス保存手段）。前記の容器は、プレナム４８と流動的にコミュニケートして、前記プロセッサからのシグナルで、例えば、それぞれのソレノイドバルブ４３、４５及び４７を外して、前記エアゾール容器４２、４４及び４６から前記プレナムに選択的に放出してもよい。（サブスタンス放出手段）
ファン５０が、放出サブスタンス（芳香）をプレナム４８から排気口５２を通して運ぶために提供されてもよい。前記ファン５０及びプレナム４８は、図２と５に示すように、１つのタイプのサブスタンス放出器に固有であっても、または、図１の放出器４０と６０のように異なったタイプの放出器に共通であってもよい。
【００２９】
図３と４は、マガジン１２０形式のサブスタンス保存手段を図示しているが、このコンポーネントは補充／交換可能であり、複数のサブスタンスを個別のチャンバーまたはカートリッジ１２２に積載している。前記のチャンバー１２２は、モーター１２６のような適切な駆動手段で順々に回転できるスピンドルの回りに搭載できる。各チャンバーは、加圧してもいいし、或いはファンまたは圧縮器１２８のような圧縮空気源の前に移動してもよい。前記制御器３０は前記圧縮器１２８（サブスタンス放出手段）及び前記モーター１２６とコミュニケートして、選択サブスタンスの放出を調整する。放出を実施するには、前記チャンバー１２０の反対側の端で圧力バルブ１３０を吹き開いてサブスタンスを放出させてもよい。
【００３０】
前記サブスタンスマガジン１２０を使用すると、比較的簡単に、使用済みサブスタンスカートリッジ１２２を補充するか、またはサブスタンスカートリッジ１２２を異なったサブスタンスのカートリッジと交換することができる。例えばパフォーマンスの間に実施してもよい。また、前記サブスタンスマガジン１２０によって、オーディオまたはオーディオ保存媒体（ＶＣＲテープまたはＤＶＤなど）の供給と同時に、一連のサブスタンスの供給を行うことも可能になる。
【００３１】
もう１つのサブスタンス放出器は図１と５の参照番号６０で図示される。前記サブスタンス放出器６０には、ヒーター６８を越えて最初のスプール６４から２番目のスプール６６に巻かれるスクロール６２が含まれている (サブスタンス放出手段)。スクロールを巻くために、モーター７０または他の駆動手段を提供してもよい。前記スクロール６２の表面には、複数の温度式放出サブスタンスストライプ７２がある(サブスタンス保存手段)。
【００３２】
前記スクロール６２及びヒーター６８は、図１に示すように、別個プレナムの内部または主プレナム４８の内部に搭載されてもよい。
【００３３】
別個のファンまたは前記システムファン５０を使用して、放出サブスタンスをプレナム４８から排気口５２を通して運んでもよい。前記プロセッサ３０が、スクロールの移動、ヒーターのタイミング、ファンの強度及びタイミングなどの変数を制御し、プレゼンテーション中のビジュアルまたは他のメディアと調整しながらサブスタンス放出を行う。
【００３４】
サブスタンスの混同またはサブスタンスの不適当な組合せが生起するのを避けるために、例えば聴衆１６０から離れた方向に向けた浄化排気口９０を設けるなど、それぞれ図２と５で図示される放出器４０と６０のような前記「スタンドアローン」放出器を浄化する用意を備えてもよい。図１の前記合体システム２０では、サーボ機構の制御バルブ１４０、１４２、１４４及び１４６を、それぞれ前記プレナム４８への吸気口１５０と、プレナム４８からの排気口１５２と、プレナム４８と前記ＨＶＡＣファン１１０への吸気口との間と、及びＨＶＡＣファン１１０への新鮮な空気の吸気口１５４と、に提供することによって備えてもよい。
【００３５】
前記バルブ１４４を閉じて前記バルブ１４２と１４０を開くと、前記ファン５０が前記排気口１５２を通して前記プレナム４８を浄化できる。この場合、排気は聴衆１６０の反対方向に、そして装置がそのように取り付けされている場合には、建物の外に排出されることが望ましい。
【００３６】
前記バルブ１４４を閉じて前記バルブ１４６を開けると、前記ファン１１０が新鮮な空気を吸気口１５４から吸引し、管路１６２を通して通風孔１６４から送り出し、前記聴衆１６０の回りの空気を浄化する。前記バルブ１４０、１４２、１４４および１４６は前記プロセッサ３０で制御してもよい。
【００３７】
上記の説明は基本的には、主に娯楽映画との関連で使用されるサブスタンス配給装置（ｓｕｂｓｔａｎｃｅ  ｓｕｂｓｔａｎｃｅ  ｄｉｓｔｒｉｂｕｔｉｏｎ  ａｐｐａｒａｔｕｓ）に関するものであるが、他の適用も可能である。例えば、前記シグナルはキーボード２００のような他の装置によって生成してもよく、オペレータよるキーボードの適切なキーまたは一連のキーの選択によって、所望サブスタンスの放出をマニュアルに作動可能にしてもよい。さらには、装置に関連する光関連生成器（レーザー、ストロボなど）２０２を使用した光ディスプレイなど、非サブスタンス関連の刺激を作り出してもよい。光ディスプレイは、例えばレーザーピクチャーショーなどであって、ミュージックのプレゼンテーションに伴ってもよい。
【００３８】
娯楽機能に加えて、本発明の装置は、空気またはガスで運ばれるその他のサブスタンスの散布に使用してもよい。例えば、前記装置１０を使用しているエリアで群集コントロールが必要な場合、不快なサブスタンス（硫化水素、スカンクなど）または群集コントロールガス（催涙ガス）でも、放出器４０または放出器６０のような前記サブスタンス放出器の１つから、散布サブスタンスの特性が適切であれば放出してもよい。
【００３９】
前記デバイス１０は、テロリスト活動などで群集の中に散布された有毒サブスタンスからの保護を必要とする状況において適用してもよい。また生物学的脅威が予見される場合、前記放出器から散布されるサブスタンスに、使用される可能性があるさまざまな生物学的薬剤に対して有効な中和するサブスタンスを含めてもよい。
【００４０】
図６は、本発明による「スタンドアローン」装置３００の図示である。前記装置３００には、既成の空気配送システム（建物の"ＨＶＡＣ"システムなど）に頼らない、独自の空気配送システムがある。前記の空気配送システムは、主に短い急流または高速有向のストリームに用いる圧縮空気を生成する圧縮器３０２と、一般配送用のファン３０４との両方を含む。前記の圧縮器３０２は、サブスタンス（またはその他サブスタンス）放出器３０８、３１０及び３１２とコミュニケートするプレミックスチャンバー３０６を加圧してもよい。前記プレミックスチャンバーは、次に有向ジェット３１４及び最終ミックスチャンバー３１６、または前記ファン３０４のどちらかとコミュニケートしてもよい。熱交換器３２０は、急激な冷却と加熱のために前記ファン３０４との関連で提供してもよい。前記サブスタンス放出器３０８、３１０及び３１２が、前記ファン３０４と直接コミュニケートしてもよい。
【００４１】
前記ファン３０４には逆方向機能があって、その近辺に空気を吹き込むか、または空気を引き込むことができる。引き込まれたサブスタンス（またはその他の空気で運ばれるサブスタンス）は排気口３２４を通して排出してもよいが、収集した空気からサブスタンスを除去したい場合は、その前にフィルター３２６を通してフィルターしてもよい。必要に応じ、前記の空気圧縮器３０２を使用して、前記プレミックスチャンバー３０６及び最終ミックスチャンバー３１６をそれぞれの収集器排気口３３０と３３２を通し、流し出してもよい。そして次に、それはフィルター３４０を通して処理され排出されるか、または保存されてもよい。
【００４２】
複数のデバイス３００は、特にロックコンサートまたは野外会場のように会場が大規模な場合に使用してもよい。前記の複数デバイス３００は、連携して使用してもよい。例えば、１つの逆方向ファン３０４が会場から空気を引き出し（「捕捉と排気」ファンとして機能）、残余のファン３０４及び有向ジェット３１４が封じ込めとストリームの方向付けの役割を果たし、会場の空気が捕捉と排気ファンの方向に向かうようにする。前記ユニット３００は、参照番号３５０で一般的に指示されているレーザー、紫外線ライト、赤外線ライト、ストロボライト及びその他の特殊効果装置の組合せと一緒に使用できる。
【００４３】
スタンドアローンユニットを複数有すると、感染または汚染した空気を会場で封じ込め及び除去する必要がある場合に、非常に有効である。例えば、各ユニット３００に、消毒素または抗毒素を含んだ中和するカートリッジ（例えば前記放出器３１０の一部として）を提供して、汚染された会場と、前記の有向ジェット３１４及び排気フアン３０４によって封じ込められている汚染空気と、に放出してもよい。汚染空気は、適宜に処理されるか、または例えば提供される廃棄物タンク３６０に収集できる。
【００４４】
前記の有向ジェット３１４には、特殊効果としての高速度及び振動を作成できるという追加的恩恵がある。調整可能なデフレクタまたはデフュ−ザ３７０と３７２が、それぞれ前記ジェット３１４及びファン３０４に関連して提供されてもよい。図１の図示のように、プロセッサ３７５はシステムのバランスとコミュニケートして、適切なコード化された入力を受信し、それを処理し、次に圧力、温度、速度、方向、特殊効果、ファンの方向及びサブスタンス排出などのシステムパラメータを制御する。
【００４５】
上記の説明は限定的な意図ではなく図示的な目的をもって行った。このような装置に熟練した者には、上記の請求項で定義される本発明の主旨及び範囲から逸脱せずに、変形が可能であることは明らかである。
【図面の簡単な説明】
【００４６】
本発明の好ましい実施例を、付随図を参照しながら下記に説明する。
【図１】図１は、本発明によるサブスタンス配給装置（ｓｕｂｓｔａｎｃｅ  ｓｕｂｓｔａｎｃｅ  ｄｉｓｔｒｉｂｕｔｉｏｎ  ａｐｐａｒａｔｕｓ）の概略図である。
【図２】図２は、本発明によるエアゾール積載サブスタンスを放出するサブスタンス放出器の部分的断面図である。
【図３】図３は、サブスタンスマガジンの透視図である。
【図４】図４は、図３の１部分またはライン４−４部分であるが、図３のサブスタンスマガジンで使用するサブスタンス放出装置とプロセッサの図示をも含んでいる。
【図５】図５は、本発明の温度式放出サブスタンス放出の実施例による、サブスタンス放出器の部分的断面図である。
【図６】図６は、本発明による「スタンドアローン」ユニット概略図である。
【図７】図７は、本発明による「スタンドアローン」ユニット概略図詳細である。
【図１】
2004535906.tif 000003
【図２】
2004535906.tif 000004
【図３】
2004535906.tif 000005
【図４】
2004535906.tif 000006
【図５】
2004535906.tif 000007
【図６】
2004535906.tif 000008
【図７】
2004535906.tif 000009
【国際公開パンフレット】
2004535906.tif 000010
2004535906.tif 000011
2004535906.tif 000012
2004535906.tif 000013
2004535906.tif 000014
2004535906.tif 000015
2004535906.tif 000016
2004535906.tif 000017
2004535906.tif 000018
2004535906.tif 000019
2004535906.tif 000020
2004535906.tif 000021
2004535906.tif 000022
2004535906.tif 000023
2004535906.tif 000024
2004535906.tif 000025
2004535906.tif 000026
2004535906.tif 000027
2004535906.tif 000028
2004535906.tif 000029
2004535906.tif 000030
2004535906.tif 000031
2004535906.tif 000032
2004535906.tif 000033
【国際公開パンフレット（コレクトバージョン）】
2004535906.tif 000034
【国際調査報告】
2004535906.tif 000035
2004535906.tif 000036
2004535906.tif 000037
2004535906.tif 000038
2004535906.tif 000039
2004535906.tif 000040